(57)【要約】【課題】注湯後の鋳型において、１鋳型毎の砂落としを行うことにより砂落としをした後でも、確実に鋳型毎の個別管理を行うことができる鋳造ラインを提供する。【解決手段】前記鋳型を搬送する定盤台車と、前記定盤台車に載置され、１つの前記鋳型を納めていると共に砂抜き用格子を底部に設けた鋳型搬送用受箱と、該鋳型搬送用受箱を振動させ該鋳型搬送用受箱から鋳物砂を落とす砂落とし装置と、前記鋳型を納めている鋳型搬送用受箱を前記砂落とし装置に移載させ、砂落としが終わった前記鋳型搬送用受箱を前記定盤台車に移載させる移し替え装置とを具備する鋳造ライン。【選択図】図２
2010214446.tif 000002
【特許請求の範囲】
【請求項１】
注湯済みの鋳型を搬送し、該鋳型を冷却する冷却ライン上に砂落とし装置を具備する鋳造ラインであって、
前記鋳型を搬送する定盤台車と、
前記定盤台車に載置され、１つの前記鋳型を納めていると共に砂抜き用格子を底部に設けた鋳型搬送用受箱と、
該鋳型搬送用受箱を振動させ該鋳型搬送用受箱から鋳物砂を落とす砂落とし装置と、
前記鋳型を納めている鋳型搬送用受箱を前記砂落とし装置に移載させ、砂落としが終わった前記鋳型搬送用受箱を前記定盤台車に移載させる移し替え装置
とを具備する鋳造ライン。
【請求項２】
前記移し替え装置の下流の位置に前記定盤台車の上面を清掃する定盤清掃装置を備えた請求項１記載の鋳造ラインであって、
該定盤清掃装置が、
前記定盤台車３の上面にある鋳物砂を掻き落とす複数のブラシと、
前記ブラシが取り付けられたベルトと、
前記ベルトを回転させるモータ
とからなる請求項１記載の鋳造ライン。
【請求項３】
１つの鋳型を納めていると共に砂抜き用格子を底部に設けた鋳型搬送用受箱を定盤台車上から砂落とし装置へ移し変える第１載置工程と、
前記鋳型搬送用受箱を前記砂落とし装置によって振動させ前記受鋳型搬送用箱から鋳物砂を落とす砂落とし工程と、
前記定盤台車に前記砂落とし工程を経た前記鋳型搬送用受箱を前記砂落とし装置から移し変える第２載置工程
とを含むことを特徴とする砂落とし方法。
【請求項４】
前記第１載置工程において前記鋳型搬送用受箱を前記砂落とし装置へ移し変えた後の前記鋳型搬送用受箱を載置していた前記定盤台車の上面を清掃し、前記第２載置工程の前記定盤台車へ移行する定盤清掃工程と、
とを更に含むことを特徴とする請求項３記載の砂落とし方法。
【発明の詳細な説明】
【技術分野】
【０００１】
本発明は、鋳造の冷却工程において、鋳型から鋳物砂と鋳物素材とを分ける砂落とし装置を備えた鋳造ラインおよび砂落とし方法に関する。
【背景技術】
【０００２】
従来、鋳物砂と製品を分離させる方法として、ドラム内に注湯済みの鋳型を投入し、回転や振動と散水により分離させる方法（特許文献１参照）や、鋳造ライン上において搬送される鋳型を振動機上に載せ、振動により解枠・分離させる方法があった（特許文献２参照）。
【先行技術文献】
【特許文献】
【０００３】
【特許文献１】特開平５−０１３８３３２号公報
【特許文献２】特開２００３−０１０９６２号公報
【発明の概要】
【発明が解決しようとする課題】
【０００４】
しかしながら、特許文献１記載の方法および装置では、ドラム内に多数の鋳型を入れ、１モールド毎の砂落としを行うことができないため、後工程での鋳型毎の個別管理が難しいという問題点があった。
特許文献２記載の方法および装置では、鋳枠（鋳造枠）からパンチアップされた鋳物素材を内蔵した鋳型は、プッシャーもしくは把持手段によって振動機に移載され、前記振動機の振動によって砂落としされている。つぎに、砂落としされ鋳物砂を分離された鋳物素材は、プッシャーによって押し出され、冷却バスケットに移載される。
ここで、鋳枠から１つ１つパンチアップされるため、鋳型毎の管理ができるかのように見える。しかしながら、前記振動機の振動によって砂落としされ、冷却バスケットに移載されるまでの間に、何らかの原因で、前記振動機に取り残され次に送り込まれた鋳型の鋳物素材とともに、冷却バスケットに移載されることがある。
よって、後工程でモールド毎の個別管理ができなくなる。
【０００５】
そこで、本発明は、叙上の事情に鑑み、注湯後の鋳型において、１鋳型毎の砂落としを行うことにより砂落としをした後でも、確実に鋳型毎の個別管理を行うことができる鋳造ラインを提供することを目的とする。
【課題を解決するための手段】
【０００６】
本発明の鋳造ラインは、注湯済みの鋳型を搬送し、該鋳型を冷却する冷却ライン上に砂落とし装置を具備する鋳造ラインであって、前記鋳型を搬送する定盤台車と、前記定盤台車に載置され、１つの前記鋳型を納めていると共に砂抜き用格子を底部に設けた鋳型搬送用受箱と、該鋳型搬送用受箱を振動させ該鋳型搬送用受箱から鋳物砂を落とす砂落とし装置と、前記鋳型を納めている鋳型搬送用受箱を前記砂落とし装置に移載させ、砂落としが終わった前記鋳型搬送用受箱を前記定盤台車に移載させる移し替え装置とを具備することを特徴としている。
【発明の効果】
【０００７】
本発明によれば、１つの受箱に１つの鋳型を入れ、その受箱を振動機によって振動させ砂落としを行うことで、１鋳型ずつ砂落としすることができるので、鋳物砂と鋳物素材の分離後も、鋳型毎の個別管理をすることができる。
【図面の簡単な説明】
【０００８】
【図１】本発明に使用される受箱の斜め下方からの外観図である。
【図２】本発明の一実施の形態にかかわる鋳造ラインの平面図である。
【図３】図２のＡ−Ａ矢視図である。
【図４】トラバーサを示す図２の一部切欠きＢ−Ｂ矢視図である。
【図５】移し替え装置の動作の初期位置を示す図である。
【図６】移し替え装置を示す図２の一部切欠きＤ−Ｄ矢視図である。
【図７】（ａ）砂落とし装置の動作を示す模式図で、振動機が下降している状態を示す図ある。（ｂ）砂落とし装置の動作を示す模式図で、振動機を上昇させ砂落としを行っていることを示す図である。
【図８】定盤清掃装置を示す図２の一部切欠きＣ−Ｃ矢視図である。
【発明を実施するための形態】
【０００９】
以下、添付図面に基づいて本発明の一実施の形態にかかわる鋳造ラインＥを説明する。
ここで、鋳造ラインは請求項１に記載のように定盤台車と、鋳型搬送用受箱と、砂落とし装置と、移し替え装置とを具備している。
【００１０】
本発明で用いられる鋳型搬送用受箱１（以下、受箱とする）は、斜め下方からの外観図である図１に示されるように、上部開口の箱状をなし底面に砂抜き用の格子１ａを有している。また、両側面の上方には、搬送方向に平行に突出したクランプ受け１ｂを備えている。
なお、図面を簡単にするため、砂抜き用の格子は、図１を除きその他の図面では省略してある。
【００１１】
鋳造ラインの平面図である図２およびそのＡ−Ａ矢視図である図３に示されるように、鋳造ラインＥは、複数の定盤台車３を備えている。
【００１２】
図２において、前記定盤台車３は、往路ラインＥ１を矢印Ｆ１、Ｆ２の順に動き、矢印Ｆ３の方向へトラバーサ４によって折り返され、復路ラインＥ２を矢印Ｆ５、Ｆ６の順に１台ずつ（１箱ずつ）動くようになっている。
なお、前記往路ラインＥ１と前記復路ラインＥ２は、台車循環ラインＥ３によって接続されている。
前記受箱１は、前記定盤台車３上に載っており、搬送され、前記受箱１内では前記鋳型２が冷却されている。前記鋳型２は、鋳物素材２ａを内蔵している。
【００１３】
砂落とし装置５は、前記往路ラインＥ１と前記復路ラインＥ２の間に配置されている。また、図５、図６および図７に示されるように振動機５ａと、該振動機５ａを上下動させる空気バネを使用した昇降装置５ｂとからなっている。また、前記砂落とし装置５の上方には、前記受箱１を載置する、載置フレーム５ｃが設置されている。
なお、図３においては、図面簡略化のため前記砂落とし装置５の図示を省略している。
【００１４】
移し替え装置６は、前記往路ラインＥ１と前記砂落とし装置５と前記復路ラインＥ２の上方にかけて配置されている。また、該移し替え装置６は、前記往路ラインＥ１と前記砂落とし装置５と前記復路ラインＥ２を跨ぐように配置されたガイドフレーム６ａと、該ガイドフレーム６ａ上を往復動可能に設けられた往復装置６ｂと、前記受箱１をクランプするクランプアーム６ｃを備えたクランプ装置６ｄと、前記往復装置６ｂに配置され、かつ前記クランプ装置６ｄを上下させる２対のクランプ昇降装置６ｅとからなっている。
【００１５】
図８に示す定盤清掃装置７は、前記往路ラインＥ１において、前記移し替え装置６の下流に配置されている。また、該定盤清掃装置７は、モータ７ａの回転によって回転されるベルト７ｂに装着されている複数のブラシ７ｃで前記定盤台車３の上面にある鋳物砂を掻き落とすようになっている。
【００１６】
前記トラバーサ４は、前記定盤清掃装置７の下流に配置されている。前記トラバーサ４は、図４に示されるように前記定盤台車３を前記往路ラインＥ１から前記復路ラインＥ２に折り返すように１つ１つ順次送りされるようになっている。
【００１７】
つぎに、このように構成された鋳造ラインＥの動作について説明する。
図１に示される受箱１は、受箱１つに注湯済みの鋳型２を１つ納めることができる（図７参照）。これにより、鋳型２と受箱１を関連付けることができる。
定盤台車３の上に載置された前記受箱１は、往路ラインＥ１上を矢印Ｆ１の方向へ搬送される。そして、前記受箱１は、移し替え装置６によって前記定盤台車３から分離され、砂落とし装置５の上部にある載置フレーム５ｃ上に載置される。
【００１８】
前記定盤台車３は、前記受箱１が分離された後、矢印Ｆ２の方向へ搬送され、前記移し替え装置６の下流に配置された定盤清掃装置７によって、上面にある鋳物砂を掻き落とすことで清掃される。
【００１９】
ここで、前記定盤清掃装置７の動作を、図８を用いて詳しく説明する。
前記定盤清掃装置７は、前記定盤台車３が搬送される時は、軸７ｄを中心として、シリンダ７ｅによって上方に跳ね上げられ、前記ブラシ７ｃが搬送されてくる前記定盤台車３に干渉しないように退避している。そして、前記定盤台車３が、前記定盤清掃装置７に搬送されたら前記シリンダ７ｅが縮み、前記ブラシ７ｃが前記定盤台車３の上面に接触する。
そして、モータ７ａが、前記ブラシ７ｃが取り付けられたベルト７ｂを回転させることで、前記ブラシ７ｃが前記定盤台車３の上面にある鋳物砂を掻き出す（定盤清掃工程）。
【００２０】
また、前記定盤台車３は、上面を清掃された後、トラバーサ４によって、矢印Ｆ３、Ｆ５の順の方向へ向きを変えられ、復路ラインＥ２へ搬送される。
【００２１】
前記受箱１が前記移し替え装置６によって前記載置フレーム５ｃ上に載置された後、図７に示すように、前記載置フレーム５ｃの下にある前記砂落とし装置の昇降装置５ｂが作動し、振動機５ａを上昇させる。前記振動機５ａは常時運転状態となっている。
前記振動機５ａは、前記受箱１を振動させることで、前記受箱１の底面に設けた砂抜き用の格子１ａから鋳物素材２ａに付着している鋳物砂を前記受箱１の下に落とす。
前記受箱１を一定時間振動させたあと、前記昇降装置５ｂを作動させ、振動機５ａを下降させる。すると、前記受箱１が、再度、前記載置フレーム５ｃ上に載置される（砂落とし工程）。
【００２２】
つぎに、前記移し替え装置６は、砂落としが終わり、前記載置フレーム５ｃ上に載置された前記受箱１を、前記定盤清掃装置７によって上面を清掃された前記定盤台車３の上に載置する。
【００２３】
ここで、受箱１の移し替え装置６の動作を、初期位置を示す図５、および終了位置を示す図６に基づき詳しく説明する。
図５に示す初期位置から移し替えが始まる。まず、受箱１Ａが前記往路ラインＥ１によって前記移し替え装置６の下方に搬送されて来る。この間に、先行する受箱１Ｂが前記砂落とし装置５によって砂落としをされ、前記載置フレーム５ｃ上に載置されている。
そして、前記移し替え装置６の２対のクランプ装置６ｄを、クランプ昇降装置６ｅによって下降させ、前記受箱１Ａと前記先行する受箱１Ｂとのクランプ受け１ｂにクランプアーム６ｃを架ける。
【００２４】
そして、前記クランプ昇降装置６ｅによって、前記クランプ装置６ｄとともに前記受箱１Ａと前記先行する受箱１Ｂを持ち上げる。
そして、往復装置６ｂの駆動シリンダ６ｆを作動させ、図６に示される移し替え終了位置まで方向Ｆ４に向け該往復装置６ｂを移動させる。つぎに、前記クランプ昇降装置６ｅを下降させ、前記受箱１Ａは、前記載置フレーム５ｃ上に載置される（第１載置工程）。また、前記先行する受箱１Ｂは、復路ラインＥ２にある定盤台車３の上に載置される（第２載置工程）。なお、前記定盤清掃装置７において前記定盤台車３の上面をあらかじめ清掃したあとに前記受箱１Ｂは、前記定盤台車３に載置される。その後、前記クランプアーム６ｃを前記クランプ受け１ｂから外した後、前記クランプ昇降装置６ｅが作動し前記クランプ装置６ｄを上昇させる。そして、前記駆動シリンダ６ｆを作動させ、前記往復装置６ｂを図５の元の位置まで移動させる。
【００２５】
前記鋳型２を載置した前記受箱１Ａは、前記砂落とし装置５によって、上述のように砂落としされる。そして、前記往路ラインＥ１および前記復路ラインＥ２の定盤台車３が搬送され、図５に示す初期位置となる。以下この繰り返しである。
【００２６】
なお、本発明による他の実施の形態においては、前記定盤清掃装置を配置せず、前記定盤台車３は、前記定盤清掃装置７によって前記定盤台車３の上面を清掃されることもなく、前記第２載置工程へ搬送される。その他の構成、動作は上述と同様である。
【００２７】
本発明は、冷却途中に鋳物砂を分離することにより、受箱内の鋳物素材２ａの冷却効率を高めることもできる。
また、定盤清掃装置を設けることで後工程への鋳物砂の持ち出しを減少することもできる。
【００２８】
なお、本発明は特定の望ましい実施の形態に限定されず、特許請求の範囲に記載された技術的範囲内で当業界の通常の知識によって多様な応用が可能である。
【符号の説明】
【００２９】
１、１Ａ  鋳型搬送用受箱
１Ｂ      先行する鋳型搬送用受箱
１ａ      格子
１ｂ      クランプ受け
２        鋳型
２ａ      鋳物素材
３        定盤台車
４        トラバーサ
５        砂落とし装置
５ａ      振動機
５ｂ      昇降装置
５ｃ      載置フレーム
６        移し替え装置
６ａ      ガイドフレーム
６ｂ      往復装置
６ｃ      クランプアーム
６ｄ      クランプ装置
６ｅ      クランプ昇降装置
６ｆ      駆動シリンダ
７        定盤清掃装置
７ａ      モータ
７ｂ      ベルト
７ｃ      ブラシ
７ｄ      軸
７ｅ      シリンダ
Ｅ        鋳造ライン
Ｅ１      往路ライン
Ｅ２      復路ライン
Ｅ３      台車循環ライン
Ｆ１、Ｆ６  定盤台車と受箱が移動する方向
Ｆ２、Ｆ３、Ｆ５  定盤台車が移動する方向
Ｆ４      受箱が移動する方向
【図１】
2010214446.tif 000003
【図２】
2010214446.tif 000004
【図３】
2010214446.tif 000005
【図４】
2010214446.tif 000006
【図５】
2010214446.tif 000007
【図６】
2010214446.tif 000008
【図７】
2010214446.tif 000009
【図８】
2010214446.tif 000010